(57)【特許請求の範囲】
【請求項１】
薄板状記録媒体にデータを記録して発行する記録媒体取扱装置において、
薄板状記録媒体を収納する収納部と、該収納部と記録媒体出入口との間で前記薄板状記録媒体を搬送する搬送部とを具備し、
前記収納部は、下部に記録媒体受入部、上部に記録媒体排出部が設けられ、前記記録媒体受入部の僅か上部に配設され複数の薄板状記録媒体を積載保持する保持手段と、前記記録媒体受入部に挿入された薄板状記録媒体をすでに収納されて前記保持手段に積載保持されている多数の薄板状記録媒体と共に記録媒体排出部側に押圧すべく前記記録媒体受入部と記録媒体排出部の間で移動可能に設けられた押圧手段と、前記記録媒体受入部の入口に設けた第１搬送補助手段と、前記記録媒体排出部に設けられた第２搬送補助手段とを有し、
前記搬送部は、記録媒体出入口下部に設けられた一端を支点にして前記薄板状記録媒体の前記記録媒体受入部と前記記録媒体排出部との間を揺動して前記薄板状記録媒体の前記記録媒体受入部への搬入と前記記録媒体排出部からの搬出を行う搬送機構と、前記薄板状記録媒体にデータの書込みおよび消去並びに読取りを行う記録手段とを有し、
前記第１搬送補助手段および第２搬送補助手段、前記押圧手段、前記搬送機構および該搬送機構を揺動する揺動手段を駆動する駆動手段並びに該駆動手段と前記記録手段を制御する制御手段を備えることを特徴とする記録媒体の取扱装置。
【請求項２】
前記収納部は、前記押圧手段を前記記録媒体受入部と前記記録媒体排出部との間を昇降移動するベースで構成し、前記保持手段は、前記記録媒体受入部の僅か上方に配設されて前記ベースのみの通過を許容する間隙が形成され、記録媒体受入部に挿入された単一の薄板状記録媒体を載置しベースの上昇動作で前記間隙を通過する際に薄板状記録媒体との接触で開放され、ベースの下降動作で前記間隙を通過する際に前記開放が拘束されて薄板状記録媒体を保持することを特徴とする請求項１に記載の記録媒体の取扱装置。
【請求項３】
前記搬送機構は、該搬送機構前後に前記薄板状記録媒体にデータの書込みおよび消去並びに読取りを行う記録手段と、前記収納部の薄板状記録媒体排出側上部に回転自在且つ昇降可能に配設されたアイドルローラと、前記薄板状記録媒体の両側を挾んで搬出入すべく上部に配設された複数の押圧ローラと、前記アイドルローラの直上に薄板状記録媒体１枚半の間隔を開けて配設され、前記アイドルローラの上昇移動により接触したとき薄板状記録媒体の排出方向に対し該アイドルローラを逆転駆動する反転ローラとをを有することを特徴とする請求項１に記載の記録媒体の取扱装置。
【請求項４】
薄板状記録媒体にデータを記録して発行する記録媒体取扱装置であり、
前記薄板状記録媒体の収納部が、下部に前記記録媒体受入部を設けると共に上部に前記記録媒体排出部を設け、前記押圧手段を記録媒体受入部と記録媒体排出部の間で昇降可能なベースで構成し、前記保持手段は、前記記録媒体受入部の僅か上方に配設されて前記ベースのみの通過を許容する間隙が形成され、前記記録媒体受入部に挿入された単一の薄板状記録媒体を載置しベースの上昇操作で前記間隙を通過する際に薄板状記録媒体との接触で開放され、ベースの下降動作で前記間隙を通過する際に前記開放が拘束されて薄板状記録媒体が保持されるようにし、
前記搬送部は、記録媒体出入口下部に設けられた一端を支点にして前記薄板状記録媒体の前記記録媒体受入部と前記記録媒体排出部との間を揺動して前記薄板状記録媒体の前記記録媒体受入部への搬入と前記記録媒体排出部からの搬出を行う搬送機構と、前記薄板状記録媒体にデータの書込みおよび消去並びに読取りを行う記録手段とを有し、
前記押圧手段、前記搬送機構、該搬送機構を揺動する揺動手段および前記記録手段を制御する制御手段を備える記録媒体取扱装置における、薄板状記録媒体の取扱方法であって、
搬送機構を駆動させて前記記録媒体出入口から挿入された薄板状記録媒体のデータの成否を確認し、該データが正しく且つ判読可能な場合にそのデータを表示し、前記搬送機構を揺動させて該搬送機構の端部を記録媒体受入部まで下降し、その間に多数の薄板状記録媒体を積載保持して上方の前記記録媒体排出部側に押圧しているベースを下降移動させて保持手段を通過する際に前記多数の薄板状記録媒体を前記保持手段に係止させたのち記録媒体受入部に待機し、前記搬送機構を駆動させて記録媒体受入部に待機しているベース上に前記薄板状記録媒体を載置し、その後前記搬送機構が上方に揺動して元の水平位置に戻り、単一の薄板状記録媒体を載置したベースは前記保持手段に載置されている多数の薄板状記録媒体と共に上昇して該薄板状記録媒体を記録媒体排出部側に押圧し、次に前記搬送機構を駆動させて収納部内最上部の薄板状記録媒体を送り出す際に内部に記憶されている情報を消去し、薄板状記録媒体が記録媒体出入口側に移動する際に表示手段に表示されている情報を前記薄板状記録媒体に記録し、さらに駆動機構を反転駆動させて前記薄板状記録媒体に書き込まれた情報を制御手段により確認した上で前記薄板状記録媒体を記録媒体出入口に移動することを特徴とする記録媒体の取扱方法。
【発明の詳細な説明】
【０００１】
【発明の属する技術分野】
本発明は、収納した薄板状記録媒体にデータを記録して発行する記録媒体取扱装置およびその取扱方法に関する。
【０００２】
【従来の技術】
従来この種の記録媒体取扱装置においては、収納された多数の薄板状記録媒体を順次引き出してデータを記録し、発行していた。
【０００３】
【発明が解決しようとする課題】
しかしながら、このような従来の記録媒体取扱装置においては、該取扱装置の収納部に挿入される薄板状記録媒体は常に収納部の最上部に収納され、再度該薄板状記録媒体の払い出しを行う場合は、前記収納部の最上部から払い出されるようになっていた。
【０００４】
すなわち、この結果、使用される薄板状記録媒体は何度も繰返し使用され、使用されない薄板状記録媒体は何時までも使用されない状態となり、薄板状記録媒体個々の寿命時間（ライフサイクル）にバラツキが生じ、薄板状記録媒体の取扱上の問題を有していた。
【０００５】
本発明は、このような従来の技術が有する問題点に着目してなされたもので、収納部内に収納される薄板状記録媒体を常に循環させて搬送することができるため薄板状記録媒体個々のライフサイクルが一定になり薄板状記録媒体の取扱を容易にすることができる記録媒体の取扱装置およびその取扱方法を提供することを目的としている。
【０００６】
【課題を解決するための手段】
前述した目的を構成するための本発明の要旨とするところは、
請求項１記載の発明では、薄板状記録媒体（Ｒ）にデータを記録して発行する記録媒体取扱装置において、
薄板状記録媒体（Ｒ）を収納する収納部（２０）と、該収納部（２０）と記録媒体出入口（Ｏ）との間で前記薄板状記録媒体（Ｒ）を搬送する搬送部（３０）とを具備し、
前記収納部（２０）は、下部に記録媒体受入部（２１）、上部に記録媒体排出部（２２）が設けられ、前記記録媒体受入部（２１）の僅か上部に配設され複数の薄板状記録媒体（Ｒ）を積載保持する保持手段（２７）と、前記記録媒体受入部（２１）に挿入された薄板状記録媒体（Ｒ）をすでに収納されて前記保持手段（２７）に積載保持されている多数の薄板状記録媒体（Ｒ）と共に記録媒体排出部（２２）側に押圧すべく前記記録媒体受入部（２１）と記録媒体排出部（２２）の間で移動可能に設けられた押圧手段（２３）と、前記記録媒体受入部（２１）の入口に設けた第１搬送補助手段（２４）と、前記記録媒体排出部（２２）に設けられた第２搬送補助手段（２５）とを有し、
前記搬送部（３０）は、記録媒体出入口（Ｏ）下部に設けられた一端を支点にして前記薄板状記録媒体（Ｒ）の前記記録媒体受入部（２１）と前記記録媒体排出部（２２）との間を揺動して前記薄板状記録媒体（Ｒ）の前記記録媒体受入部（２１）への搬入と前記記録媒体排出部（２２）からの搬出を行う搬送機構（３１）と、前記薄板状記録媒体（Ｒ）にデータの書込みおよび消去並びに読取りを行う記録手段（３５）とを有し、
前記第１搬送補助手段（２４）および第２搬送補助手段（２５）、前記押圧手段（２３）、前記搬送機構（３１）および該搬送機構（３１）を揺動する揺動手段を駆動する駆動手段（Ｍ１〜Ｍ５）並びに該駆動手段（Ｍ１〜Ｍ５）と前記記録手段（３５）を制御する制御手段（４０）を備えることを特徴とする記録媒体の取扱装置に存する。
【０００７】
また、請求項２記載の発明では、前記収納部（３０）が、前記押圧手段（２３）を前記記録媒体受入部（２１）と前記記録媒体排出部（２２）との間を昇降移動するベース（２６）で構成し、前記保持手段（２７）は、前記記録媒体受入部（２１）の僅か上方に配設されて前記ベース（２６）のみの通過を許容する間隙が形成され、記録媒体受入部（２１）に挿入された単一の薄板状記録媒体（Ｒ）を載置しベース（２６）の上昇動作で前記間隙を通過する際に薄板状記録媒体（Ｒ）との接触で開放され、ベース（２６）の下降動作で前記間隙を通過する際に前記開放が拘束されて薄板状記録媒体（Ｒ）を保持することを特徴とする記録媒体の取扱装置に存する。
【０００８】
また、請求項３記載の発明では、前記搬送機構（３１）が、該搬送機構（３１）前後に前記薄板状記録媒体（Ｒ）にデータの書込みおよび消去並びに読取りを行う記録手段（３５）と、前記収納部（２０）の薄板状記録媒体（Ｒ）排出側上部に回転自在且つ昇降可能に配設されたアイドルローラ（３２ｃ）と、前記薄板状記録媒体（Ｒ）の両側を挾んで搬出入すべく上部に配設された複数の押圧ローラ（３４ａ〜３４ｂ）と、前記アイドルローラ（３２ｃ）の直上に薄板状記録媒体（Ｒ）１枚半の間隔を開けて配設され、前記アイドルローラ（３２ｃ）の上昇移動により接触したとき薄板状記録媒体（Ｒ）の排出方向に対し該アイドルローラ（３２ｃ）を逆転駆動する反転ローラ（２５ｄ）とを有することを特徴とする記録媒体の取扱装置に存する。
【０００９】
また、請求項４記載の発明では、薄板状記録媒体（Ｒ）にデータを記録して発行する記録媒体取扱装置であり、
前記薄板状記録媒体（Ｒ）の収納部（２０）が、下部に前記記録媒体受入部（２１）を設けると共に上部に前記記録媒体排出部（２２）を設け、前記押圧手段（２３）を記録媒体受入部（２１）と記録媒体排出部（２２）の間で昇降可能なベース（２６）で構成し、前記保持手段（２７）は、前記記録媒体受入部（２１）の僅か上方に配設されて前記ベース（２６）のみの通過を許容する間隙が形成され、前記記録媒体受入部（２１）に挿入された単一の薄板状記録媒体（Ｒ）を載置しベース（２６）の上昇操作で前記間隙を通過する際に薄板状記録媒体（Ｒ）との接触で開放され、ベース（２６）の下降動作で前記間隙を通過する際に前記開放が拘束されて薄板状記録媒体（Ｒ）が保持されるようにし、
前記搬送部（３０）は、記録媒体出入口（Ｏ）下部に設けられた一端を支点にして前記薄板状記録媒体（Ｒ）の前記記録媒体受入部（２１）と前記記録媒体排出部（２２）との間を揺動して前記薄板状記録媒体（Ｒ）の前記記録媒体受入部（２１）への搬入と前記記録媒体排出部（２２）からの搬出を行う搬送機構（３１）と、前記薄板状記録媒体（Ｒ）にデータの書込みおよび消去並びに読取りを行う記録手段（３５）とを有し、
前記押圧手段（２３）、前記搬送機構（３１）、該搬送機構（３１）を揺動する揺動手段および前記記録手段（３５）を制御する制御手段（４０）を備える記録媒体取扱装置における、薄板状記録媒体の取扱方法であって、
搬送機構（３１）を駆動させて前記記録媒体出入口（Ｏ）から挿入された薄板状記録媒体（Ｒ）のデータの成否を確認し、該データが正しく且つ判読可能な場合にそのデータを表示し、前記搬送機構（３１）を揺動させて該搬送機構（３１）の端部を記録媒体受入部（２１）まで下降し、その間に多数の薄板状記録媒体（Ｒ）を積載保持して上方の前記記録媒体排出部（２２）側に押圧しているベース（２６）を下降移動させて保持手段（２７）を通過する際に前記多数の薄板状記録媒体（Ｒ）を前記保持手段（２７）に係止させたのち記録媒体受入部（２１）に待機し、前記搬送機構（３１）を駆動させて記録媒体受入部（２１）に待機しているベース（２６）上に前記薄板状記録媒体（Ｒ）を載置し、その後前記搬送機構（３１）が上方に揺動して元の水平位置に戻り、単一の薄板状記録媒体を載置したベース（２６）は前記保持手段（２７）に載置されている多数の薄板状記録媒体（Ｒ）と共に上昇して該薄板状記録媒体（Ｒ）を記録媒体排出部（２２）側に押圧し、次に前記搬送機構（３１）を駆動させて収納部（２０）内最上部の薄板状記録媒体（Ｒ）を送り出す際に内部に記憶されている情報を消去し、薄板状記録媒体（Ｒ）が記録媒体出入口（Ｏ）側に移動する際に表示手段（３８）に表示されている情報を前記薄板状記録媒体（Ｒ）に記録し、さらに駆動機構（３１）を反転駆動させて前記薄板状記録媒体（Ｒ）に書き込まれた情報を制御手段（４０）により確認した上で前記薄板状記録媒体を記録媒体出入口（Ｏ）に移動し、表示手段（３８）に表示されている情報を消失させることを特徴とする記録媒体の取扱方法に存する。
【００１０】
次に作用について説明する。
【００１１】
請求項１に係る記憶媒体の取扱装置によれば、記録媒体出入口（Ｏ）から挿入された薄板状記録媒体（Ｒ）は、内容が確認されると搬送機構（３１）の下方へ揺動すると共に搬送機構（３１）を駆動させて収納部（２０）下部の記録媒体受入部（２１）に挿入され、遊技者の要求で収納部（２０）より薄板状記録媒体（Ｒ）が払出される場合は、収納部（２０）内に積層保持されている最上部の薄板状記録媒体（Ｒ）が記録媒体排出部（２２）から排出されるようになっており、薄板状記録媒体（Ｒ）は常に更新されたものが使用されるので、特定の薄板状記録媒体（Ｒ）のみの寿命時間（ライフサイクル）が短縮されることがなくなり、略均等な寿命時間を得ることができ薄板状記録媒体（Ｒ）の取扱管理を容易にすることができる。
【００１２】
請求項２に係る記憶媒体の取扱装置によれば、ベース（２６）を昇降可能に設けて収納部（２０）内に収納される薄板状記録媒体（Ｒ）の積載枚数の量に関わらず上部の記録媒体排出部（２２）側に押圧することができる。
【００１３】
また、ベース（２６）が下降する際に該ベース（２６）上に積載保持されている多数の薄板状記録媒体（Ｒ）は保持手段（２７）上に係止保持されて、ベース（２６）のみが記録媒体受入部（２１）に空の状態で待機されるので、搬送機構（３１）より搬入される単一の薄板状記録媒体（Ｒ）をベース（２６）上に容易に受け入れることができる。
【００１４】
請求項３に係る記憶媒体の取扱装置によれば、搬送機構（３１）の上部には前後に記録手段（３５）が配設されているので、搬出・入される薄板状記録媒体（Ｒ）へのデータの書き込み、消去並びに記録されている内容の確認を行うことができる。また、収納部（２０）の薄板状記録媒体（Ｒ）排出側上部にアイドルローラ（３２ｃ）が回転自在且つ昇降可能に配設され、該アイドルローラ（３２ｃ）の直上に薄板状記録媒体（Ｒ）１枚半の間隔を開けて反転ローラ（２５ｄ）が配設されているので、最上部の薄板状記録媒体（Ｒ）が複数枚重ねて排出されても、アイドルローラ（３２ｃ）が上昇して反転ローラ（２５ｄ）と接触することにより逆転駆動されるため、確実に１枚づつ分離して排出することができる。
【００１５】
請求項４に係る記憶媒体の取扱装置によれば、記録媒体出入口（Ｏ）から挿入されて収納部（２０）内に収納され、収納部（２０）より排出される薄板状記録媒体（Ｒ）を制御手段（４０）による制御により循環させることができるので、薄板状記録媒体（Ｒ）が常に更新され薄板状記録媒体（Ｒ）の寿命時間のバラツキを無くすことができる。また、搬出入される薄板状記録媒体（Ｒ）は記録手段（３５）により常に制御手段（４０）によりチェックされるので薄板状記録媒体（Ｒ）の不正使用が無くなり、さらに遊技者の使用条件に適合した薄板状記録媒体（Ｒ）に書き換えられるので薄板状記録媒体（Ｒ）の使用範囲が拡大される。
【００１６】
【発明の実施の形態】
以下、実施の形態を挙げ図面に基づいて本発明を説明する。
【００１７】
図１から図４は本発明の一実施形態を示している。
【００１８】
本発明の一実施形態が実施されるものには、図３に示すようなパチンコ機とともに遊技機島に並設される玉貸機１で、紙幣の他にカードのような薄板状記録媒体の使用が可能なものがある。また、遊技者の獲得した遊技媒体の数等のデータをゲーム終了時に記録媒体に記録して発行する遊技機においても実施することができる。
【００１９】
図１に示すように、本発明に係る記録媒体取扱い装置１０は、薄板状記録媒体Ｒを収納する収納部２０と、該収納部２０と記録媒体出入口Ｏとの間で薄板状記録媒体Ｒを搬送する搬送部３０とを具備し、薄い直方体のハウジング内に構成されている。
【００２０】
収納部２０は、下部に記録媒体受入部２１、上部に記録媒体排出部２２を設け、記録媒体受入部２１に挿入された薄板状記録媒体Ｒをすでに収納された薄板状記録媒体Ｒと共に記録媒体排出部２２側に押圧すべく記録媒体受入部２１と記録媒体排出部２２の間で移動可能に設けられた押圧手段２３と、記録媒体受入部２１の入口に設けた第１搬送手段２４と、記録媒体排出部２２に設けられた第２搬送補助手段２５とを有している。
【００２１】
第１搬送補助手段２４は、図４に示す駆動手段Ｍ４により駆動される駆動ローラ２４ａと該駆動ローラ２４ａに対向して配設された従動ローラ２４ｂとで構成される。また第２搬送補助手段２５は、駆動手段であるモータＭ５により駆動される駆動ローラ２５ｂとで構成されている。
【００２２】
さらに詳しくは、図２の（ａ）および（ｂ）に示すように収納部２０の押圧手段２３は、図４に示す駆動源Ｍ３によりベース２６を記録媒体受入部２１と記録媒体排出部２２の間で昇降可能に構成し、記録媒体受入部２１の僅か上方（薄板状記録媒体２〜５枚の厚み分）には保持手段２７が設けられている。該保持手段２７は、中央にベース２６のみの通過を許容する間隙が後述するシャッター２８間に形成され、記録媒体受入部２１に挿入された単一の薄板状記録媒体Ｒを載置しベース２６の上昇動作で前記間隙を通過する際に薄板状記録媒体Ｒとの接触で上方（図２に示す矢印方向）へ開放され、ベース２６の下降動作で前記間隙を通過する際に薄板状記録媒体Ｒの下方への開放が拘束されて薄板状記録媒体Ｒを保持するように構成されている。
【００２３】
さらに詳しくは、保持手段２７は、図２に示すように収納部２０の両内壁に支軸２９を介して回動自在に支軸された一対のシャッター２８と、該シャッター２８を当接させることにより水平状態に保持すべく収納部２０両下端に設けられたストッパＳとで構成されている。
【００２４】
そして、シャッター２８は、ストッパＳに当接して水平状態が保持されるように図示しないバネで付勢されている。
【００２５】
更に、シャッター２８の対向する内側端部には凹凸部２８ａが形成され、ベース２６の両側面にもシャッター２８の凹凸部２８ａに挿嵌可能な凹凸部２６ａが形成されている。
【００２６】
これにより、ベース２６は、上昇、下降する際にシャッター２８に干渉することなく前記間隙を通過することができる。
【００２７】
このようにして、ベース２６が薄板状記録媒体Ｒを載置した状態で上昇して薄板状記録媒体Ｒが収納部２０内部に挿入され、ベース２６が下降すると該ベース２６上の薄板状記録媒体Ｒは、該ベース２６がシャッター２８の間隙を通過する際にシャッター２８上に係止保持される。
【００２８】
このような動作を繰り返すことにより、収納部２０内には多数の薄板状記録媒体Ｒが順次収納され、多数の薄板状記録媒体Ｒを積載したベース２６は、この上昇動作により第２搬送補助手段２５の搬送ベルト２５ｃ下面との間で押圧挾持される。
【００２９】
次に搬送部３０は、図１に示されるように薄板状記録媒体Ｒの記録媒体受入部２１への搬入と記録媒体排出部２２から排出される薄板状記録媒体Ｒの搬出とを行う搬送機構３１と、薄板状記録媒体Ｒにデータの書込みおよび消去並びに読取りを行う記録手段３５とを有している。
【００３０】
搬送機構３１は、図示しない駆動手段Ｍ２により駆動される駆動ローラ３２ａと従動ローラ３２ｂとで構成され、該駆動ローラ３２ａと従動ローラ３２ｂには無端ベルト３３が張架されている。
【００３１】
無端ベルト３３の上面には複数のローラ３４ａ、３４ｂ、３４ｃおよび３４ｄが薄板状記録媒体Ｒの厚み以内の間隙をもって配設されており、これらのローラは回転自在に軸支されている。
【００３２】
また、無端ベルト３３の従動ローラ３２ｂの上部には該従動ローラ３２ｂと略同形のアイドルローラ３２ｃが駆動手段とは切離された状態で回転自在且つ昇降可能に軸支され、薄板状記録媒体Ｒの厚み以内の間隙をもって配設されている。アイドルローラ３２ｃの直上には反転ローラ２５ｄが薄板状記録媒体Ｒ１枚半分の間隙を開けて配設され、駆動手段Ｍ５によりベルト２５ｅを介して回転駆動されるようになっている。
【００３３】
反転ローラ２５ｄは、複数枚の薄板状記録媒体Ｒが引き出されローラ３２ｃが上昇して接触したとき、ローラ３２ｃを薄板状記録媒体Ｒを排出する方向と反対方向に強制的に回転させるものである。
【００３４】
無端ベルト３３の上面には前後に記録手段３５が設けられており、該記録手段３５は、例えば、薄板状記録媒体Ｒに記録されたデータを読取るための読取りヘッド３５ａと薄板状記録媒体Ｒに記録されたデータを消去し、あるいは記録するための書込み・消去用ヘッド３５ｂを有している。
【００３５】
そして駆動機構３１は、駆動ローラ３２ａ側に図示しない揺動手段が設けられ、該揺動手段は図４に示す駆動源Ｍ１により駆動機構３１を記録媒体受入部２１と記録媒体排出部２２との間で揺動するように構成されている。
【００３６】
前述した第１搬送補助手段２４および第２搬送補助手段２５、押圧手段２３、搬送機構３１および該搬送機構３１を揺動する揺動手段を駆動する各駆動手段Ｍ１、Ｍ２、Ｍ３、Ｍ４およびＭ５並びに該駆動手段Ｍ１、Ｍ２、Ｍ３、Ｍ４、Ｍ５と記録手段３５は、後述する制御手段４０により制御されるようになっている。
【００３７】
図４に示すように制御手段４０には、各駆動手段Ｍ１、Ｍ２、Ｍ３、Ｍ４、Ｍ５および記録手段３５が接続されており、さらに後述する表示手段３８、精算スイッチ４２、払出しスイッチ４３および休憩スイッチ４４が接続されている。
【００３８】
制御手段４０は、ＣＰＵ，ＲＯＭ，ＲＡＭなどを少なくとも含むマイクロコンピューターから成り、駆動手段Ｍ１、Ｍ２、Ｍ３、Ｍ４、Ｍ５の駆動制御を行い、さらに記録手段３５によって記録されたデータに誤りがあったとき、又は、データの判読が不可能なときは、搬送機構の駆動方向を一旦反転させた後に記録手段３５によりデータを消去させ、再度書込みを行わせるように設定されている。
次に、記録媒体の取扱方法につき図１および図４を基に説明する。
【００３９】
記録媒体取扱い装置１０の記録媒体出入口Ｏから挿入された薄板状記録媒体Ｒは、読取りヘッド３５ａで読みとられ、搬送機構３１の先端に停止する。
【００４０】
薄板状記録媒体Ｒが不適当な場合は、搬送機構３１の駆動手段Ｍ２を反転駆動させて、薄板状記録媒体Ｒを自動的に排出する。
【００４１】
正常な薄板状記録媒体Ｒの場合には、該薄板状記録媒体Ｒの内容が表示手段３８に表示される。
【００４２】
ここで、精算スイッチ４２を作動させた場合は、表示されたデータはクリアーされ薄板状記録媒体Ｒはそのまま記録媒体出入口Ｏより排出される。
【００４３】
払出しスイッチ４３が作動された場合は、パチンコ玉の払出しが行われ、搬送機構３１の先端に停止している薄板状記録媒体Ｒは、駆動手段Ｍ１が駆動されて搬送機構３１の駆動ローラ３２ａを支点とする揺動により下方位置に停止する。この搬送機構３１の下降動作により、収納部２０内にあるベース２６は駆動手段Ｍ３の駆動により記録媒体受入部２１まで下降する。
【００４４】
ベース２６が下降するに際し、該ベース２６上に積載されている多数の薄板状記録媒体Ｒは、ベース２６の下降動作で該ベース２６がシャッター２８を通過する際に該シャッター２８上に係止保持される。
【００４５】
すなわち、ベース２６は駆動手段Ｍ３を駆動させて記録媒体受入部２１まで下降し、該ベース２６上には何も無い状態で待機する。
【００４６】
次に、搬送機構３１の駆動手段Ｍ２を駆動させて無端ベルト３３上に支持されている薄板状記録媒体Ｒを前進させ、同時に第１駆動補助手段２４を駆動手段Ｍ４により駆動させると薄板状記録媒体Ｒは、最下部の記録媒体受入部２１に停止しているベース２６上に載置させる。この時、薄板状記録媒体Ｒに記憶されている情報の内、約半分の不要な情報は消去される。
【００４７】
このように、薄板状記録媒体内の不要データが消去されて必要なデータのみが残るので、薄板状記録媒体の所定の記憶要領範囲が拡大され有効に使用することができる。
【００４８】
薄板状記録媒体Ｒがベース２６上に載置されると、搬送機構３１は駆動手段Ｍ２の駆動により再び上方に揺動して基の位置に戻る。
【００４９】
次に、１枚の薄板状記録媒体Ｒを載置したベース２６は、駆動手段Ｍ３を駆動させて上昇を開始し、該薄板状記録媒体Ｒとの接触によりシャッター２８をバネの付勢力に抗して押し開き収納部２０内に移動する。
【００５０】
この移動によりシャッター、２８上に積載保持されている多数の薄板状記録媒体Ｒは、ベース２６上に載置されている１枚の薄板状記録媒体Ｒと共に上昇し搬送ベルト２５ｃ下面に押付けられる。
【００５１】
なお、ベース２６の上昇移動量は、ベース２６上に載置される薄板状記録媒体Ｒの量によって変化するが、収納部２０内に収納される薄板状記録媒体Ｒの全ての枚数に対応することができる。
【００５２】
次に、ゲームが終了して持ち玉と残金の両方、或いはどちらか一方が表示手段３８に表示がされている状態で、精算スイッチ４２が作動された場合は、第２搬送補助手段２５の駆動手段Ｍ５が駆動されて収納部２０内最上部の薄板状記録媒体Ｒが搬送機構３１により送り出され、消去用ヘッド３５ｂを通過する。
【００５３】
この時、薄板状記録媒体Ｒは再び消去され、内部に記憶されている情報は完全に消去される。
【００５４】
薄板状記録媒体Ｒはそのまま記憶媒体出入口Ｏ側に移動し、読取りヘッド３５ｂを通過する。この段階で表示手段３８に表示されている情報が薄板状記録媒体Ｒに磁気記録される。
【００５５】
そこで、薄板状記録媒体Ｒは、搬送機構３１の駆動手段Ｍ２を反転駆動させて一度後退させ、書き込んだ情報を確認した上で記録媒体出入口Ｏ側に移動する。この時点で表示手段３８に表示されている情報は消失し、薄板状記録媒体Ｒは遊技客に払い出される。
【００５６】
このようにして、薄板状記録媒体Ｒは、収納部内を循環し常に更新して使用されるので同一薄板状記録媒体が何回も使用されることがないため、個々の薄板状記録媒体の寿命時間のバラツキが無くなり、薄板状記録媒体Ｒの管理が容易になる。
【００５７】
第２搬送補助手段２５が収納部２０に収納された薄板状記録媒体Ｒを引き出すときに複数枚の薄板状記録媒体Ｒが引き出されてしまったときは、ローラ３２ｃは余分に引き出された薄板状記録媒体の厚さ分だけ変位する。そこで、反転ローラ２５ｄにローラ３２ｃが接触すると、ローラ３２ｃは回転方向を強制的に逆転される。それによって、同時に引き出されてしまった薄板状記録媒体Ｒは、一旦、収納部２０内に戻される。
【００５８】
第２搬送補助手段２５によって薄板状記録媒体Ｒが１枚引き出された後は、前述したごとくである。
【００５９】
次に、払い出された薄板状記録媒体Ｒは、別のパチンコ機とともに並設された玉貸機１の記録媒体出入口Ｏに挿入してゲームを再開することができ、景品交換所において景品交換と残金の精算をすることができる。
【００６０】
ゲームが終了した際、持ち球と残金の両方或いはどちらか一方が表示手段３８に表示されている状態で、休憩スイッチ４４を作動させた場合は、第２搬送補助手段２５の駆動手段Ｍ５が駆動されて搬送部３０内最上部の薄板状記録媒体Ｒが送り出され、消去用ヘッド３５ｂを通過する。
【００６１】
この時、薄板状記録媒体Ｒは再び消去され、内部に記憶されている情報は完全に消去される。
【００６２】
薄板状記録媒体Ｒはそのまま記録媒体出入口Ｏ側に移動し、読取りヘッド３５ａを通過する。この段階で表示手段３８に表示されている情報が薄板状記録媒体Ｒに磁気記録される。
【００６３】
そこで、薄板状記録媒体Ｒは、搬送機構３１の駆動手段Ｍ２を反転駆動させて一度後退させ、書き込んだ情報を確認した上で記録媒体出入口Ｏに移動する。このようにして、遊技客に薄板状記録媒体Ｒが払い出される。
【００６４】
このように、薄板状記録媒体は搬出入される際に記録手段により常に制御手段を介してチェックされるので薄板状記録媒体の不正使用を防止することができる。
【００６５】
また、薄板状記録媒体は遊技者の使用条件に適合した薄板状記録媒体に書き換えられるので薄板状記録媒体の使用範囲が拡大され、有効に使用することができる。
【００６６】
この時、コンピュータに対して休憩信号が出されて５分〜１０分の時間監視に入り、パチンコ機のハンドルの動きが停止され、同時に表示手段３８に表示されているデータは消失される。
【００６７】
このようにして、休憩フラグの記録された薄板状記録媒体ＲＦは遊技客に払出される。
【００６８】
これで、このパチンコ機は前記薄板状記録媒体ＲＦ以外ではゲームを再開することができなくなるが、時間が所定以上経過したり、他のパチンコ機でこの薄板状記録媒体ＲＦを使用してゲームを行ったり、景品交換をした場合は直ちに休憩信号が解除され、他の客がそのパチンコ機でゲームを行うことができるようになる。
【００６９】
なお、前述した休憩状態は店員専用の薄板状記録媒体ＲＴにより強制的に解除することもできるようになっている。
【００７０】
一方、遊技客が食事などのために、３０〜４０分の休憩をしたい場合は店員を呼び、店員による専用の薄板状記録媒体ＲＴにより長時間休憩を行うことができるようになっている。
【００７１】
すなわち、休憩フラグの記録された薄板状記録媒体ＲＦを払出した後、店員専用の薄板状記録媒体ＲＴを挿入する。
【００７２】
記録媒体出入口Ｏから挿入された店員専用の薄板状記録媒体ＲＴは読取りヘッド３５ａで読み取られ搬送機構３１の先端で停止する。
【００７３】
この状態で精算スイッチ４２が作動されると、設定された休憩状態が強制的に解除され、店員専用の薄板状記録媒体ＲＴは記録媒体出入口Ｏより返却されて出てくる。
【００７４】
なお、長時間休憩を設定したパチンコ機についても、同じ操作で解除することができる。
【００７５】
また、前記の状態で休憩スイッチ４４が作動されると３０〜４０分の長時間休憩が設定され、店員専用の薄板状記録媒体ＲＴは記録媒体出入口Ｏより返却されて出でくる。
【００７６】
さらに、店員専用の薄板状記録媒体ＲＴを挿入した状態で払出しスイッチ４３を作動した場合は、店員専用の薄板状記録媒体ＲＴはそのまま記録媒体出入口Ｏより返却されて出てくる。
【００７７】
なお、特に図示並びに詳細な説明は省略したが、前述した各動作を開始する前の条件として例えば薄板状記録媒体の停止位置等を確認するためのセンサーを設けてあることは勿論である。
【００７８】
以上、本発明の実施形態を図面によって説明してきたが、具体的な構成はこれら実施形態に限られるものではなく、例えば、搬送機構を無端ベルトにより薄板状記録媒体を搬出入するために、収納部の記録媒体受入部と記録媒体排出部との間を揺動可能に構成した例について説明したが、記録媒体受入部および記録媒体排出部へ搬出入する複数の駆動ローラを連設した水平および傾斜の搬送機構を固定的に設けて、搬送機構の記録媒体出入口側に薄板状記録媒体搬出入の切換え装置を設けるよう構成しても良く、本発明の要旨を逸脱しない範囲における変更や追加があっても本発明に含まれる。
【００７９】
【発明の効果】
本発明は次の効果を奏する。
【００８０】
（ａ）請求項１に記載の発明によれば、記録媒体出入口から挿入された薄板状記録媒体は内容を確認した上で搬送機構の下方へ揺動と共に搬送機構を駆動させて収納部下部の記録媒体受入部に挿入され、遊技者の要求で収納部より薄板状記録媒体が払出される場合は、収納部内に積層保持されている最上部の薄板状記録媒体が記録媒体排出部から排出されるようになっており、薄板状記録媒体は常に更新されたものが使用されるので、特定の薄板状記録媒体のみの寿命時間（ライフサイクル）が短縮されることがなくなり、略均等な寿命時間を得ることができ薄板状記録媒体の取扱管理を容易にすることができる。
【００８１】
（ｂ）請求項２に記載の発明によれば、ベースを昇降可能に設けて収納部内に収納される薄板状記録媒体の積載枚数の量に関わらず上部の記録媒体排出部側に押圧することができる。
【００８２】
また、ベースが下降する際に該ベース上に積載保持されている多数の薄板状記録媒体は保持手段上に係止保持されて、ベースのみが記録媒体受入部に空の状態で待機されるので、搬送機構より搬入される単一の薄板状記録媒体をベース上に容易に受け入れることができる。
【００８３】
（ｃ）請求項３に記載の発明によれば、搬送機構の上部には前後に記録手段が配設されているので、搬出・入される薄板状記録媒体へのデータの書き込み、消去並びに記録されている内容の確認を行うことができる。また、収納部の薄板状記録媒体排出側上部にアイドルローラが回転自在且つ昇降可能に配設され、該アイドルローラの直上に薄板状記録媒体１枚半の間隔を開けて反転ローラが配設されているので、最上部の薄板状記録媒体が複数枚重ねて排出されても、アイドルローラが上昇して反転ローラと接触することにより逆転駆動されるため、確実に１枚づつ分離して排出することができる。
【００８４】
（ｄ）請求項４に記載の発明によれば、記録媒体出入口から挿入されて収納部内に収納され、収納部より排出される薄板状記録媒体を制御手段による制御により循環させることができるので、薄板状記録媒体が常に更新され薄板状記録媒体の寿命時間のバラツキを無くすことができる。また、搬出入される薄板状記録媒体は記録手段により常に制御手段によりチェックされるので薄板状記録媒体の不正使用が無くなり、さらに遊技者の使用条件に適合した薄板状記録媒体に書き換えられるので薄板状記録媒体の使用範囲が拡大される。
【図面の簡単な説明】
【図１】本発明の一実施形態に係る記録媒体取扱装置の断面図である。
【図２】図中（ａ）は図１のＡ−Ａ断面を示し、（ｂ）は保持手段と押圧手段の関係を示す部分斜視図である。
【図３】本発明の一実施形態に係る記録媒体取扱装置を装備した遊技機媒体貸機を示す斜視図である。
【図４】本発明の一実施形態に係る記録媒体取扱装置の制御を示すブロック図である。
【符号の説明】
２０  収納部
２１  記録媒体受入部
２２  記録媒体排出部
２３  押圧手段
２４  第１搬送補助手段
２５  第２搬送補助手段
２５ｄ  反転ローラ
２６  ペース
２７  保持手段
３０  搬送部
３１  搬送機構
３２ｃ  アイドルローラ
３４ａ〜３４ｂ  押圧ローラ
３５  記録手段
３７  保持手段
３８  表示手段
４０  制御手段
Ｍ１〜Ｍ５  駆動手段
Ｏ    記録媒体出入口
Ｒ    薄板状記録媒体
【図１】
0003732275.tif 000002
【図２】
0003732275.tif 000003
【図３】
0003732275.tif 000004
【図４】
0003732275.tif 000005